(57)【要約】      （修正有）【課題】支柱固定具を繰返し組立、分解に用いても、支柱固定具が劣化、破損することなく、組立、分解が容易で、しかも横風等支柱や植物に力が加わっても支柱固定具からの離脱を阻止し、耐久性のある支柱固定具を提供する。【解決手段】本支柱固定具１は、ゴム又はプラスチック等の弾力性のある材料を使用し、ビニールハウス内に張られた鉄線４を隙間６に差し込み、次に支柱２を支柱挿入孔３にはめ込む。このとき、開口部５Ｂは広く、支柱入り口５Ａは狭くなっていて、一度支柱挿入孔３にはめ込んだ支柱２が外にでないようにした。又、開口部５Ｂが開くのを防ぐため、補強金具８を入れ、支柱挿入孔３を締め付ける。【選択図】図１
0003158107.tif 000002
【実用新案登録請求の範囲】
【請求項１】
弾性材よりなるブロック体のほぼ中央に上下に貫通する支柱挿入孔を設け、支柱挿入孔の側壁の一部を上下に切欠いて支柱入口とし、支柱入口から外に向って左右の支柱挟持片を突出させ、支柱挟持片の先端から、支柱挿入孔の最奥部に至る隙間を前記ブロック体のほぼ中央に水平に設けられていることを特徴とする支柱固定具。
【請求項２】
左右の支柱挟持片は支柱入口から開口部に向って次第に拡幅していることを特徴とする請求項１記載の支柱固定具。
【請求項３】
支柱挿入孔を囲み、左右の支柱挟持片に向って前記ブロック体中にコ字状の補強金具が埋設されていることを特徴とする請求項１または２のいずれかに記載た支柱固定具。
【請求項４】
左右の支柱挟持片の先端近くに、それぞれの細かい縦孔を設け、それぞれの縦孔にかすがい状の留金具の両端を挿入して、左右挟持片の間隔を一定にし、支柱固定具から支柱が外れないようになっていることを特徴とする請求項１ないし３のいずれか１項記載の支柱固定具。
【考案の詳細な説明】
【技術分野】
【０００１】
園芸用の支柱に交叉する線材を固定する支柱固定具に関する。
【背景技術】
【０００２】
ビニールハウス栽培では、ビニールハウス内に鉄線を張り、支柱を立ててこれら支柱を固定して作物を栽培している例が多く、そのときビニールハウス内に張られた鉄線を支柱に紐等で結んで固定しているが、作業能率が悪く、手間がかかり、資材も毎回消耗し、無駄が多かった。
【０００３】
園芸用支柱に紐又はロープ、鉄線等の線材を連結する固定具において、園芸用支柱に固定具を装着するにあたって、固定具の開口端を園芸用支柱に抱きつけ装着する方法が広く行われているが（特許文献１〜８参照）、組立や解体の際、固定具の装着部に力が加わり、固定具の材質の疲労、劣化により亀裂その他の障害が発生するおそれがあり、又横方向に強い力が加わると線材が支柱からはずれたり、線材と支柱との連結が緩んだりするおそれがあった。
【先行技術文献】
【特許文献】
【０００４】
【特許文献１】実用３１１２３５７号公報（図１その他）
【特許文献２】特開２００８−２２４０２３号公報（図３その他）
【特許文献３】実開昭５６−２６５４４号公報（図１，図２その他）
【特許文献４】実開平４−２２６０８９号公報（実用新案登録請求の範囲その他）
【特許文献５】実開昭６０−７２１５７号公報（実用新案登録請求の範囲その他）
【特許文献６】特開２００２−３４３５１号公報（要約）
【特許文献７】特開２００２−６５０７４号公報（図１その他）
【特許文献８】実開平７−７３７８号公報（実用新案登録請求の範囲その他）
【考案の概要】
【考案が解決しようとする課題】
【０００５】
本考案は、支柱固定具を繰返し組立、分解に用いても、支柱固定具１が劣化、破損することなく、組立、分解が容易で、しかも横風等支柱や植物に力が加わっても支柱固定具１からの離脱を阻止し、耐久性のある支柱固定具１を提供しようとするものである。
【課題を解決するための手段】
【０００６】
本考案の第１は、弾性材からなるブロック体のほぼ中央を上下に貫通する支柱挿入孔を設け、支柱挿入孔３の側壁の一部を上下に切欠いて支柱入口５Ａとし、支柱入口５Ａから外に拡がるよう左右の支柱挟持片５，５を設け開口部５Ｂに向って突出させ、左右の支柱挟持片（５，５）の先端から支柱挿入孔３の最奥部に至る線材挿入のための隙間６をブロック体の中央に水平方向に設けられていることを特徴とする支柱固定具１である。ここで弾性材とは、ゴム又はプラスチック等弾性と適度の強度を有する材料が用いられる。
【０００７】
組立は鉄線等の線材４を隙間６の最奥部に通し、支柱２を支柱挿入孔３にはめこむことで行われる。分解はこの作業の逆でよい。
【０００８】
本考案の第２は、左右の支柱挟持片５，５は、支柱挿入孔３に接する部分の支柱入口５Ａから開口部５Ｂに向って次第に拡幅していることを特徴とする。支柱２を支柱固定具１から取り外すとき、支柱固定具１が弾性を有するため支柱入口５Ａを押し拡げて支柱２を取り外すようにする。
【０００９】
本考案の第３は、支柱挿入孔３を囲み、左右の支柱挟持片５，５に向って、支柱固定具１中にコの字形の補強金具８が埋設されていることを特徴とする支柱固定具１である。又、補強金具８によって支柱固定具１が支柱２を締め付け、支柱２と支柱固定具１との結合が緩まないようになっている。支柱２を支柱固定具１にはめこむ際、又は、取り外す際、左右の支柱挟持片５，５を拡げたり、閉じたりすることになり、支柱固定具１に変形に対する力が加わり、繰り返す度に支柱固定具１に疲労のため材質３の劣化と強度の低下が生じ易い。これにより、亀裂か破損のおそれを阻止するためである。
【００１０】
本考案の第４は、左右の支柱挟持片５，５の先端近くにそれぞれ細い縦孔７，７を設け、これらを右の縦孔にかすがい状の留金具９の両端を挿入し、左右挟持片５，５の先端の間隔を一定とし、支柱固定具１が支柱２から外れないようになっていることを特徴とする前項１〜３の支柱固定具である。
【考案の効果】
【００１１】
本考案は、ビニールハウス内に限られた鉄線を支柱に固定するため簡単にはめ込み出来、固定解体も簡単にできる支柱固定具であって、何回でも使用できるため、経済的である。また、園芸物以外でも牧場の柵にも広く利用できる。
【図面の簡単な説明】
【００１２】
【図１】本考案の斜視図。
【図２】本考案の側面図。
【図３】本考案の平面図。
【図４】支柱挟持片に留金具を挿入するときの説明図。
【考案を実施するための形態】
【００１３】
以下、考案を実施するための形態を図に基づいて説明する。
図１は本考案の斜視図であって、支柱２に支柱固定具１を嵌め込み、線材４を隙間６の奥に差し込んで支柱２に線材４を連結した状態を示した。まず、線材４を隙間６の最奥部にはさみ込み、次に支柱２を支柱挟持片５，５の間の支柱入口５Ａに差し込む。支柱入口５Ａは、狭くなっていて、一度支柱挿入孔３にはめこんだ支柱２は外に外れないようにした。また、支柱入口５Ａが開くのを防ぐため、補強金具８が埋設され、支柱２を締め付ける効果もあるようにした。また支柱２をはめ込んだり、外したりすることを繰り返すと支柱固定具１が材料の疲労のため亀裂が入ったり、破損するのを防ぐとする補強金具８の効果がある。
【００１４】
図２は、本考案の側面図である。隙間６の最奥部に差し込まれた線材４は支柱２で隙間６の壁に密着させられて固定され、固定した後、緩みにくくし、又固定を解除し、解体するのも簡単にできるようにした。本考案は、支柱とビニールハウス内に張られた鉄線等の線材４とをはめ込みで簡単に固定できるようにするとともに、固定した後、固定が緩みにくくし、又固定を解体する時は簡単に解体できるようにし、又支柱固定具１は何回でも使用でき経済的である。
【００１５】
図３は、本考案の平面図であって、支柱固定具１と線材４との関係を示している。支柱固定具１と、支柱固定具１の隙間６の最奥部に線材４がはめこまれており、線材４は支柱挿入孔３と接していて、線材４は支柱２によって固定されている。補強金具８が支柱固定具１を締め付け、支柱２が緩まないようになっている。
【００１６】
図４は、支柱挟持片５，５にかすがい状の留金具９を挿入するときの説明図である。左右の支柱挟持片５，５のそれぞれの先端にある縦孔７，７に留金具９の左右両先端を差し込むことで左右支柱挟持片５，５の拡がりを防止し、支柱２と支柱固定具１との緩みを防止することができる。
【符号の説明】
【００１７】
１  支柱固定具
２  支柱
３  支柱挿入孔
４  線材（鉄線）
５  支柱挟持片
５Ａ  支柱入口
５Ｂ  開口部
６  隙間
７  縦孔
８  補強金具
９  留金具
【図１】
0003158107.tif 000003
【図２】
0003158107.tif 000004
【図３】
0003158107.tif 000005
【図４】
0003158107.tif 000006
【手続補正書】
【提出日】平成22年1月13日(2010.1.13)
【手続補正１】
【補正対象書類名】実用新案登録請求の範囲
【補正対象項目名】請求項２
【補正方法】変更
【補正の内容】
【請求項２】
左右の支柱挟持片は、その先端から支柱入口に向って次第に拡幅していることを特徴とする請求項１記載の支柱固定具。
【手続補正２】
【補正対象書類名】実用新案登録請求の範囲
【補正対象項目名】請求項３
【補正方法】変更
【補正の内容】
【請求項３】
支柱挿入孔を囲み、左右の支柱挟持片に向って前記ブロック体中にコ字状の補強金具が埋設されていることを特徴とする請求項１または２のいずれかに記載の支柱固定具。
【手続補正３】
【補正対象書類名】明細書
【補正対象項目名】０００８
【補正方法】変更
【補正の内容】
【０００８】
本考案の第２は、左右の支柱挟持片５，５は、その先端から、支柱挿入孔３に接する部分の支柱入口５Ａに向って次第に拡幅していることを特徴とする。支柱２を支柱固定具１から取り外すとき、支柱固定具１が弾性を有するため支柱入口５Ａを押し拡げて支柱２を取り外すようにする。